(57)【要約】【課題】着信以前に行っていたキー操作を継続して行うことができ、且つ、ユーザの意図したタイミングで着信に対する応答を行う。【解決手段】予め設定された所定時間を計測する時間計測手段と、時間計測手段作動中のいずれかのキー押下を検知する時間内押下検知手段と、通常のキー押下以外の特定動作により着信に応答する特定応答手段と、所定時間経過後にエニーキーアンサーによる応答方法に移行するエニーキーアンサー手段と、を備える。【選択図】図１
2010161757.tif 000002
【特許請求の範囲】
【請求項１】
予め設定された所定時間を計測する時間計測手段と、
前記時間計測手段作動中のいずれかのキー押下を検知する時間内押下検知手段と、
通常のキー押下以外の特定動作により着信に応答する特定応答手段と、
前記所定時間経過後にエニーキーアンサーによる応答方法に移行するエニーキーアンサー手段と、を備えることを特徴とする携帯電話機。
【請求項２】
情報を表示する表示手段と、
前記表示手段の表示面上に配置したタッチパネルと、
前記時間計測手段作動中に前記タッチパネルに対する所定の操作を検知した場合、着信に応答するタッチパネル応答手段と、
をさらに備えた請求項１に記載の携帯電話機。
【請求項３】
前記表示手段は、前記タッチパネル応答手段による応答をユーザに選択させるためのボタンを表示し、
前記所定の操作は、前記タッチパネル上の前記ボタンに対応する位置の押下動作である請求項２に記載の携帯電話機。
【請求項４】
前記所定時間は、着信を認知するまでの時間であることを特徴とする請求項１から３のいずれか１項に記載の携帯電話機。
【請求項５】
前記特定応答手段は、加速度センサを用いて特定動作を検知して応答することを特徴とする請求項１から４のいずれか１項に記載の携帯電話機。
【請求項６】
応答方法を表示する表示手段を備えることを特徴とする請求項１、４、又は５に記載の携帯電話機。
【請求項７】
前記時間計測手段は、着信後、前記所定時間を計測することを特徴とする請求項１から６のいずれか１項に記載の携帯電話機。
【請求項８】
前記時間計測手段は、いずれかのキー押下後、前記所定時間を計測することを特徴とする請求項１から７のいずれか１項に記載の携帯電話機。
【請求項９】
前記所定時間内にキー押下が検知された場合、ユーザに対し、前記特定応答手段による応答、又は前記特定応答手段によらない応答のいずれを選択するか問い合わせる問い合わせ手段を、さらに備えた請求項１から８のいずれか１項に記載の携帯電話機。
【請求項１０】
前記時間計測手段は、前記所定時間内に自携帯電話機に対する所定の操作が検知された場合、計測する時間を当該操作により指定された時間だけ延長する請求項１から９のいずれか１項に記載の携帯電話機。
【請求項１１】
予め設定された所定時間をタイマにより計測する時間計測ステップと、
前記タイマ作動中のいずれかのキー押下を検知する時間内押下検知ステップと、
通常のキー押下以外の特定動作により着信に応答する特定応答ステップと、
前記所定時間経過後にエニーキーアンサーによる応答方法に移行するエニーキーアンサーステップと、を備えることを特徴とする携帯電話機の応答方法。
【請求項１２】
前記タイマ作動中に、前記携帯電話機が有するディスプレイの表示面上に配置されたタッチパネルに対する所定の操作を検知した場合、着信に応答するタッチパネル応答ステップを、さらに備えた請求項１１に記載の携帯電話機の応答方法。
【請求項１３】
前記ディスプレイに、前記タッチパネル応答ステップによる応答をユーザに選択させるためのボタンを表示し、
前記タッチパネル上の前記ボタンに対応する位置の押下動作を、前記所定の操作として検知する請求項１２に記載の携帯電話機の応答方法。
【請求項１４】
前記所定時間は、着信を認知するまでの時間であることを特徴とする請求項１１から１３のいずれか１項に記載の携帯電話機の応答方法。
【請求項１５】
前記特定応答ステップは、加速度センサを用いて特定動作を検知して応答することを特徴とする請求項１１から１４のいずれか１項に記載の携帯電話機の応答方法。
【請求項１６】
応答方法を表示する表示ステップを備えることを特徴とする請求項１１、１４、又は１５に記載の携帯電話機の応答方法。
【請求項１７】
前記タイマは、着信後、前記所定時間を計測することを特徴とする請求項１１から１６のいずれか１項に記載の携帯電話機の応答方法。
【請求項１８】
前記タイマは、いずれかのキー押下後、前記所定時間を計測することを特徴とする請求項１１から１７のいずれか１項に記載の携帯電話機の応答方法。
【請求項１９】
前記所定時間内にキー押下を検知した場合、ユーザに対し、前記特定応答ステップによる応答、又は前記特定応答ステップによらない応答のいずれを選択するか問い合わせるステップを、さらに備えた請求項１１から１８のいずれか１項に記載の携帯電話機の応答方法。
【請求項２０】
前記タイマ作動中に前記携帯電話機に対する所定の操作を検知した場合、計測する時間を当該操作により指定された時間だけ延長するステップを、さらに備えた請求項１１から１９のいずれか１項に記載の携帯電話機の応答方法。
【請求項２１】
予め設定された所定時間をタイマにより計測する時間計測処理と、
前記タイマ作動中のいずれかのキー押下を検知する時間内押下検知処理と、
通常のキー押下以外の特定動作により着信に応答する特定応答処理と、
前記所定時間経過後にエニーキーアンサーによる応答方法に移行するエニーキーアンサー処理と、をコンピュータに実行させるプログラム。
【発明の詳細な説明】
【技術分野】
【０００１】
本発明は、着信時に継続してキー操作可能な携帯電話機、その応答方法及びプログラムに関する。
【背景技術】
【０００２】
従来の携帯電話は、着信時にどのキーが押されても応答することができるエニーキーアンサー機能を有している。エニーキーアンサー機能を有することで、応答用として割り当てられた一つのキーを探す必要がなく、利便性の高い機能である。
【０００３】
しかしながら、エニーキーアンサー機能を備える携帯電話機において、電話に出ることが出来ない環境などで、電話帳やメモ帳やスケジュールなどの情報登録中や、メール作成中、などといった連続したキー押下中に着信があると、意図していないにもかかわらず着信に応じてしまうことがある。
【０００４】
また、携帯電話機が多機能化されるにつれ、電話機能以外で多くのキー操作を行う機会も増えており、今後も意図しない応答をしてしまう状況が多くなっていくことが予想される。そこで、着信時にユーザがキー操作中であったとしても誤って応答することがなく、着信前に行っていた操作を中断せずに応答する方法を検討する必要があった。
【０００５】
例えば、特許文献１では、着信があったときに数秒程度のタイマを起動し、タイマの動作中は応答用に指定された応答キーの押下に対しては着信に応答し、応答キー以外のキーの押下に対しては着信に応答しないように制御することで、意図しない応答を回避している。
【０００６】
また、特許文献２では、一定時間の間に加速度センサにより特定のアクションを検知することで、応答キーを押下する動作を省略する技術について開示されている。
【０００７】
また、特許文献３では、着信から経過した時間、あるいはエニーキーの長押しにより、エニーキーアンサー機能を有効にする技術について開示されている。
【先行技術文献】
【特許文献】
【０００８】
【特許文献１】特開２００２−２７１４７４号公報
【特許文献２】特開２００３−２５８９４４号公報
【特許文献３】特開２００６−１３５９１７号公報
【発明の概要】
【発明が解決しようとする課題】
【０００９】
しかしながら、携帯電話機は多機能化にともない、各種シーンではほとんどのキーに対して押下時の動作割り当てがされており、応答キーを含んだ操作をする機会も多くなっている。
【００１０】
そのため、特許文献１や特許文献３記載の技術では、応答用に指定された応答キーを含んだキー操作中の場合は、着信直後に応答キー押下すると意図せず応答してしまうことになる。
【００１１】
また、着信があってからタイマが起動している一定時間内に着信前に行っていた操作を完了できなかった場合には、いかなるキーでも応答してしまうため、意図せず応答してしまうことになる。
【００１２】
また、特許文献２記載の技術では、着信後、一定時間内に予期しない振動を与えてしまった場合には特定アクションとみなされて着信に応じてしまう可能性がある。
【００１３】
さらに、着信があってからタイマが起動している一定時間内に着信前に行っていた操作を完了できなかった場合には、キー押下により応答してしまうことになるため、意図せず応答してしまうことになる。
【００１４】
そこで本発明は、上記問題点に鑑みてなされたもので、着信以前に行っていたキー操作を継続して行うことができ、且つ、ユーザの意図したタイミングで着信に対する応答を行うことの可能な携帯電話機を提供することを目的とする。
【課題を解決するための手段】
【００１５】
上記課題を解決するため、本発明における携帯電話機は、予め設定された所定時間を計測する時間計測手段と、時間計測手段作動中のいずれかのキー押下を検知する時間内押下検知手段と、通常のキー押下以外の特定動作により着信に応答する特定応答手段と、所定時間経過後にエニーキーアンサーによる応答方法に移行するエニーキーアンサー手段と、を備えることを特徴とする。
【００１６】
また、本発明における携帯電話機の応答方法は、予め設定された所定時間をタイマにより計測する時間計測ステップと、タイマ作動中のいずれかのキー押下を検知する時間内押下検知ステップと、通常のキー押下以外の特定動作により着信に応答する特定応答ステップと、所定時間経過後にエニーキーアンサーによる応答方法に移行するエニーキーアンサーステップと、を備えることを特徴とする。
【００１７】
また、本発明におけるプログラムは、予め設定された所定時間をタイマにより計測する時間計測処理と、タイマ作動中のいずれかのキー押下を検知する時間内押下検知処理と、通常のキー押下以外の特定動作により着信に応答する特定応答処理と、所定時間経過後にエニーキーアンサーによる応答方法に移行するエニーキーアンサー処理と、をコンピュータに実行させることを特徴とする。
【発明の効果】
【００１８】
本発明により、着信以前に行っていたキー操作を継続して行うことができ、且つ、ユーザの意図したタイミングで着信に対する応答を行うことができる。
【図面の簡単な説明】
【００１９】
【図１】本発明の実施の形態１に係る携帯電話機の構成図である。
【図２】本発明の実施の形態１に係る携帯電話機の機能ブロック図である。
【図３】本発明の実施の形態１に係る携帯電話機の動作の特徴を示す図である。
【図４】本発明の実施の形態１に係る携帯電話機の着信時の一の動作例を示すフローチャート図である。
【図５】表示部における応答方法の表示例である。
【図６】本発明の実施の形態１に係る携帯電話機の着信時の他の動作例を示すフローチャート図である。
【図７】本発明の実施の形態２に係る携帯電話機の構成図である。
【図８】本発明の実施の形態２に係る携帯電話機の動作の特徴を示す図である。
【図９】本発明の実施の形態２に係る携帯電話機の着信時の動作例を示すフローチャート図である。
【図１０】本発明の実施の形態３に係る携帯電話機の着信時の動作例を示すフローチャート図である。
【発明を実施するための形態】
【００２０】
次に、発明を実施するための形態について図面を参照して詳細に説明する。
【００２１】
実施の形態１
図１は、本発明の実施の形態１における携帯電話機の構成図である。本携帯電話機は、タイマ２０１と、制御部２０２と、加速度センサ２０３と、表示部２０４と、アンテナ２０５と、無線部２０６と、メモリ部２０７と、操作部２０８と、ＬＥＤ２０９と、バイブレータ２１０と、音声コーデック部２１１と、スピーカ２１２と、マイク２１３と、を有して構成される。
【００２２】
制御部２０２は、携帯電話機の全体の制御を行う。また、無線部２０６は、アンテナ２０５を介して無線基地局と無線信号の送受信を行う。メモリ部２０７は、制御プログラムや各種設定情報を格納している。
【００２３】
操作部２０８は、ユーザが携帯電話を操作するための各種キーを備え、表示部２０４は、携帯電話機の状態や情報の表示を行う。タイマ２０１は、着信後の経過時間の計測を行う。加速度センサ２０３は、携帯電話機本体の振動を検知する。ＬＥＤ２０９は、携帯電話機の状態をユーザに知らせるために発光する。バイブレータ２１０は、携帯電話機の状態をユーザに知らせるために振動する。
【００２４】
また、音声コーデック部２１１は、音声信号のＡ／Ｄ変換またはＤ／Ａ変換を行い、音声を出力するスピーカ２１２と、音声を入力するマイク２１３から構成される。
【００２５】
なお、携帯電話機は通話以外の各種機能（例えば、メール機能、スケジュール登録、電話番号の登録、メモ帳登録など）を備えている。これらのデータを投入するには、ユーザは操作部２０８のキーを用いて行う。このとき操作部２０８からの入力情報は表示部２０４に表示され、データはメモリ部２０７に記憶される。
【００２６】
図２は、本実施の形態における携帯電話機の機能ブロック図である。本携帯電話機は、時間計測部１０１と、時間内押下検知部１０２と、特定動作応答部１０３と、エニーキーアンサー部１０４と、を有して構成される。
【００２７】
時間計測部１０１は、着信を受けると経過時間の計測を開始する。なお、経過時間計測のトリガは、着信開始時に限ることはなく、後述するようにいずれかのキー動作時に経過時間の計測を開始するよう構成してもよい。
【００２８】
時間内押下検知部１０２は、時間計測部１０１が計測を開始して予め決められた設定時間までにいずれかのキーが押されたか否かの検知を行う。
【００２９】
特定動作応答部１０３は、例えば、加速度センサによる振動検知によって応答に応じたり、予め決められたキーの長押しなど、通常のキー入力では行われないような特定動作によって応答に応じることができるよう処理を行う機能部である。なお、特定動作応答部１０３は、時間内押下検知部１０２において設定時間内にいずれかのキーが押されたことが検知されたときに処理を行う。
【００３０】
エニーキーアンサー部１０４は、携帯電話機に設けられているいずれのキーでも応答に応じることができるよう処理を行う機能部である。なお、エニーキーアンサー部１０４は、時間内押下検知部１０２において設定時間内にいずれのキーも押されなかったときに処理を行う。
【００３１】
図３は、本実施の形態における携帯電話機の動作の特徴を示す図である。
【００３２】
まず、着信があると、タイマが作動し、制御部によってタイマ設定時間以内の時間で操作部によるキー押下がされたかどうかを監視する。タイマは、設定時間の経過、あるいはキーの押下により停止する。タイマ作動中は着信に応答できず、タイマが作動停止すれば応答可能となる。
【００３３】
次に、本実施形態における応答方法について説明する。応答は、加速度センサにより振動を検知、あるいはエニーキーアンサー機能により応答することが可能となる。なお、検知する振動は、特に限定されることはなく、例えば本体を２回振られたことなどを検知すれば良い。
【００３４】
すなわち、着信があってからタイマで設定した一定時間以内に操作部によるキー押下がされた場合には、制御部によってタイマを停止し、着信応答手段を振動検知による応答方法とする。また、このときに振動検知による応答である旨をユーザに知らせるために表示部に表示する。
【００３５】
一方、着信があってからタイマで設定した一定時間内にキー押下がされなかった場合には、制御部によって自動でタイマを停止し、着信応答手段をエニーキーアンサーによる応答方法とする。
【００３６】
このように、着信してからタイマで設定した時間以内にキー押下がされた場合には、経過時間にかかわらず、応答手段を振動検知方式とすることで、着信前に行っていたキー操作を着信後にも継続行うことができ、且つ、応答する場合はユーザが意図して応答できる。また、所定時間内にキー押下されない場合に、エニーキーアンサーへと移行するよう構成することでユーザの利便性を向上させることが可能となる。
【００３７】
図４は、本実施の形態における携帯電話機の応答処理の一例を示すフローチャート図である。
【００３８】
携帯電話機に着信があるとアンテナ２０５を介して無線部２０６で受信し、制御部２０２はユーザに着信があったことを知らせるために、スピーカ２１２から鳴音、ＬＥＤ２０９の点灯、表示部２０４への表示、バイブレータ２１０の振動などの動作を行う（ステップＳ４０１）。
【００３９】
また、制御部２０２は着信と同時にタイマ２０１を起動させ（ステップＳ４０２）、タイマが作動中か否か（ステップＳ４０３）、及び制御部２０２によって操作部２０８からのキー押下による入力があるか否かを監視する（ステップＳ４０４）。タイマ設定時間は、着信以前のキー操作が要因で、着信後に即応答してしまったと考えられるほどの時間であり、通常１〜２秒程度とする。なお、タイマが起動してから設定時間が経過すると、自動的にタイマは停止する。
【００４０】
タイマ作動中にキー押下があった場合には、タイマを強制停止し（ステップＳ４０５）、着信応答方法を加速度センサ２０３による振動検知方式に設定する（ステップＳ４０６）。振動検知による応答は、応答と判断する振り方をあらかじめ定義しておき、ユーザが意図して応答可能なものとする。また、応答方法が振動検知である旨をユーザに通知するために、表示部２０４にポップアップ表示をする（ステップＳ４０７）。このときの表示例を図５に示す。
【００４１】
振動検知による応答方法に設定されると、制御部２０２は加速度センサ２０３からの着信応答と判断する入力があるか否かを監視する（ステップＳ４０８）。着信応答と判断する振動を検知すると、着信応答し（ステップＳ４０９）、ユーザはマイク２１３、スピーカ２１２を用いて通話を開始する（ステップＳ４１０）。
【００４２】
一方、タイマ設定時間内にキー押下がなく、タイマが自動停止した場合は、着信応答方法をエニーキーアンサー方式に設定する（ステップＳ４１１）。また、応答方法が、エニーキーアンサーである旨をユーザに通知するために、表示部２０４にポップアップ表示をする（ステップＳ４１２）。
【００４３】
エニーキーアンサーによる応答方法に設定されると、制御部２０２は操作部２０８からのキー押下を監視し（ステップＳ４１３）、キー押下があった場合は着信応答し（ステップＳ４０９）、ユーザはマイク２１３、スピーカ２１２を用いて通話を開始する（ステップＳ４１０）。
【００４４】
図６は、本実施の形態における携帯電話機の応答処理の他の例を示すフローチャート図である。
【００４５】
キー押下がされたら（ステップＳ６０１）、常に１〜２秒程の時間を設定したタイマを起動するようにし（ステップＳ６０２）、タイマ作動中に着信通知があるか否かを検知する（ステップＳ６０４）。
【００４６】
タイマ作動中に着信があった場合には、タイマを強制停止し（ステップＳ６０５）、着信応答方法を加速度センサ２０３による振動検知方式に設定する（ステップＳ６０６）。振動検知による応答は、応答と判断する振り方をあらかじめ定義しておき、ユーザが意図して応答可能なものとする。また、応答方法が振動検知である旨をユーザに通知するために、表示部２０４にポップアップ表示をする（ステップＳ６０７）。
【００４７】
振動検知による応答方法に設定されると、制御部２０２は加速度センサ２０３からの着信応答と判断する入力があるか否かを監視する（ステップＳ６０８）。着信応答と判断する振動を検知すると、着信応答し（ステップＳ６０９）、ユーザはマイク２１３、スピーカ２１２を用いて通話を開始する（ステップＳ６１０）。
【００４８】
一方、タイマ設定時間内にキー押下がなく、タイマが自動停止した場合は、着信応答方法をエニーキーアンサー方式に設定する（ステップＳ６１１）。また、応答方法が、エニーキーアンサーである旨をユーザに通知するために、表示部２０４にポップアップ表示をする（ステップＳ６１２）。
【００４９】
エニーキーアンサーによる応答方法に設定されると、制御部２０２は操作部２０８からのキー押下を監視し（ステップＳ６１３）、キー押下があった場合は着信応答し（ステップＳ６０９）、ユーザはマイク２１３、スピーカ２１２を用いて通話を開始する（ステップＳ６１０）。
【００５０】
本応答処理例では、キー押下後の短い時間内で着信があった場合に、着信前に何らかの操作を行っていた可能性が高いと判断し、上記のような動作をする。
【００５１】
先の応答処理例では、着信があってから起動したタイマ設定時間以内でキー押下があった場合に、着信応答手段を携帯電話本体の振動検知による方法に設定する、としたが、設定する応答手段は振動検知に限らず他の動作によるものでも良い。
【００５２】
例えば、筐体を閉じて開く、特定キーの長押し、二つ以上の特定キーの同時押し、などが考えられる。すなわち、ユーザが着信後にも着信前に行っていた操作が続けられ、それとは別の動作で意図的に応答できる応答手段であればよい。
【００５３】
また、着信応答手段を携帯電話本体の振動検知による方式、または、エニーキーアンサーによる方式に設定したらその旨をユーザに知らせるために表示部２０４にポップアップ表示する、としたが、ユーザに知らせる手段は他の動作によるものでも良い。例えば、音声ガイダンスによる通知、メロディによる通知、ＬＥＤやバイブレータを組み合わせた通知、などが考えられる。すなわち、ユーザが応答手段を認識できるような通知手段であればよい。
【００５４】
本実施の形態によれば、着信があった時に短い時間を設定したタイマを起動し、タイマで設定した時間内にキー押下が行われた場合に、応答手段を時間に関係なく携帯電話本体の振動検知による方法とすることで、意図しない応答を回避することができる。
【００５５】
また、ボタンを押す動作と携帯電話本体を振る動作は別々の異なる動作であるため、着信前に行っていたキー操作も継続実施することができるので操作の妨げにならず、応答したいときは携帯電話本体を振ることで意図して応答することができる。タイマで設定した時間内にキー押下が行われなかった場合は、エニーキーアンサーによる応答手段を用いるため、任意のキーで着信応答することができる。
【００５６】
なお、タイマに設定する短い時間とは、ユーザが着信を認識して応答のためにボタンを押下するまでにかかる時間よりも短い時間であることが好ましい。つまり、着信以前の操作によるキー押下が要因で、着信後に即応答してしまったと考えられるほどの時間とする。
【００５７】
また、携帯電話本体を振ることによる着信応答は、ユーザが意図して応答していると考えられるような振り方を検知した場合にのみ応答する。バイブレータなどの振幅が小さく周期が非常に短い振動の場合などは応答と見なさないものとする。例えば、人が携帯電話本体を振ったくらいの振幅範囲で１秒以内に二回の振動を検知したら応答とみなすよう定義し、そのような動作があった場合にのみ着信応答と見なし、応答を行う。
【００５８】
また、着信してから一定時間以内にキー押下がされた場合は、着信応答手段を携帯電話本体の振動検知による方式に設定する、としたが、これを、着信してから一定時間以内にキー押下がされた場合は、着信応答手段を携帯電話本体の振動検知による方式に設定してキー操作を続けるか、または、着信に即座に応答するかをユーザが選択できるようにしてもよい。この場合、制御部２０２は、例えば表示部２０４に選択入力画面を表示し、以てユーザに、振動検知による応答又は振動検知によらない応答（例えば、エニーキーアンサーによる応答）のいずれを選択するかを問い合わせる。ユーザが後者による応答を選択した場合、制御部２０２は、振動検知による応答手段に設定するステップを省略して応答する。
【００５９】
実施の形態２
本実施の形態における携帯電話機は、図１に示した構成に加えて、図７に示す如くタッチパネル２１４を備えた点が上述した実施の形態１と異なる。なお、以降の説明においては、実施の形態１と同様の構成要素についての説明は省略する。
【００６０】
タッチパネル２１４は、典型的には、表示部２０４の表面に接するように設置される感圧式の入力装置である。ユーザは、タッチパネル２１４を透過して表示部２０４の表示を見ることができ、表示部２０４の表示に従ってタッチパネル２１４を押下することで、所望の操作を行う。
【００６１】
また、本実施の形態においては、制御部２０２が、タッチパネル２１４に対する所定の操作を検知し、着信に応答するタッチパネル応答手段としても機能する。
【００６２】
図８は、本実施の形態における携帯電話機の動作の特徴を示す図である。
【００６３】
タイマ２０１は着信があると作動し、制御部は２０２、タイマ設定時間以内の時間で操作部によるキー押下がされたかどうかを監視する。タイマ２０１は、設定時間の経過、あるいはキーの押下により停止する。
携帯電話機は、タイマ２０１の作動中において、タッチパネル２１４を介した例えば応答専用ボタンの押下によって応答可能である。または携帯電話機は、キー押下と本体を振動させる動作の組み合わせにより、応答可能となる。タイマ２０１が作動停止すればキー押下により応答可能となる。ここで、応答専用ボタンとは表示部２０４に表示した、ユーザにタッチパネル操作による着信への応答を選択させるためのボタンである。また、応答専用ボタンの押下とは、タッチパネル２１４上の応答専用ボタンに対応する位置を押下する動作のことである。
【００６４】
次に、本実施形態における応答方法について説明する。携帯電話機は、タッチパネル２１４を介した応答専用ボタンの押下、加速度センサ２０３により振動を検知、あるいはエニーキーアンサー機能により応答することが可能となる。なお、タッチパネル２１４を用いた応答に際しては、応答専用ボタンの押下動作に限らず、通常のタッチパネル２１４の操作では行われないような特定動作をトリガとしても良い。
【００６５】
すなわち、着信があってからタッチパネル２１４を介した応答専用ボタンの押下があった場合には、制御部２０２は、着信応答手段を応答専用ボタンの押下によるものとする。
【００６６】
着信があってからタイマ２０１で設定した一定時間以内に操作部２０８によるキー押下がされた場合には、制御部２０２は、タイマ２０１を停止し、着信応答手段を振動検知によるものとする。このとき、表示部２０４は、振動検知による応答である旨をユーザに知らせるための表示を行う。
【００６７】
着信があってからタイマ２０１で設定した一定時間内に、タッチパネル２１４を介した応答専用ボタンの押下と、操作部２０８のキー押下のいずれもされなかった場合には、制御部２０２は、自動でタイマ２０１を停止し、着信応答手段をエニーキーアンサーによるものとする。
【００６８】
このように、タッチパネル２１４を介して応答専用ボタンを押下することで、ユーザは、タイマ２０１で設定した時間内であっても即座に着信に応答できる。また、応答専用ボタンの押下をしない場合であって、着信してからタイマ２０１で設定した時間以内に操作部２０８のキー押下がされた場合には、経過時間にかかわらず応答手段を振動検知方式とすることで、ユーザは、着信前に行っていたキー操作を着信後にも継続行うことができ、且つ、応答する場合には意図して応答できる。また、所定時間内にキー押下されない場合に、エニーキーアンサーへと移行するよう構成することでユーザの利便性を向上させることが可能となる。
【００６９】
図９は、本実施の形態における携帯電話機の応答処理例を示すフローチャート図である。
【００７０】
携帯電話機は、着信があるとアンテナ２０５を介して無線部２０６で受信し、制御部２０２はユーザに着信があったことを知らせるために、スピーカ２１２から鳴音、ＬＥＤ２０９の点灯、表示部２０４への表示、バイブレータ２１０の振動などの動作を行う（ステップＳ７０１）。
【００７１】
このとき、表示部２０４は、応答専用ボタンを表示する（ステップＳ７０２）。
【００７２】
また、制御部２０２は、着信と同時にタイマ２０１を起動させ（ステップＳ７０３）、タイマが作動中か否か（ステップＳ７０４）、タッチパネル２１４を介した応答専用ボタンの押下による入力があるか否か（ステップＳ７０５）、及び操作部２０８からのキー押下による入力があるか否かを監視する（ステップＳ７０６）。タイマ設定時間は、着信以前のキー操作が要因で、着信後に即応答してしまったと考えられるほどの時間であり、通常１〜２秒程度とする。なお、タイマ２０１は起動してから設定時間が経過すると、自動的に停止する。
【００７３】
制御部２０２は、タイマ２０１の作動中に応答専用ボタンの押下があった場合には（ステップＳ７０５でＹＥＳ）、応答を行う（ステップＳ７１１）。
【００７４】
制御部２０２は、タイマ２０１の作動中に応答専用ボタンの押下がなく（ステップＳ７０５でＮＯ）、キー押下があった場合（ステップＳ７０６でＹＥＳ）には、タイマ２０１を強制停止し（ステップＳ７０７）、着信応答方法を加速度センサ２０３による振動検知方式に設定する（ステップＳ７０８）。振動検知による応答は、応答と判断する振り方をあらかじめ定義しておき、ユーザが意図して応答可能なものとする。また、応答方法が振動検知である旨をユーザに通知するために、表示部２０４は、ポップアップ表示を行う（ステップＳ７０９）。
【００７５】
振動検知による応答方法に設定されると、制御部２０２は、加速度センサ２０３からの着信応答と判断する入力があるか否かを監視する（ステップＳ７１０）。制御部２０２は、着信応答と判断する振動を検知すると、着信応答し（ステップＳ７１１）、ユーザはマイク２１３、スピーカ２１２を用いて通話を開始する（ステップＳ７１２）。
【００７６】
一方、制御部２０２は、タイマ設定時間内に応答専用ボタンの押下及びキー押下がなく、タイマ２０１が自動停止した場合には（ステップＳ７０４でＮＯ）、着信応答方法をエニーキーアンサー方式に設定する（ステップＳ７１３）。また、応答方法がエニーキーアンサーである旨をユーザに通知するために、表示部２０４は、ポップアップ表示を行う（ステップＳ７１４）。
【００７７】
エニーキーアンサーによる応答方法に設定された場合、制御部２０２は、操作部２０８からのキー押下を監視し（ステップＳ７１５）、キー押下があった場合は着信応答し（ステップＳ７１１）、ユーザはマイク２１３、スピーカ２１２を用いて通話を開始する（ステップＳ７１２）。
【００７８】
本発明の実施形態によれば、携帯電話機は、着信があった時に短い時間を設定したタイマ２０１を起動し、タイマ２０１で設定した時間内にキー押下が行われた場合に、応答手段を時間に関係なく、タッチパネル２１４を介した応答専用ボタン押下や携帯電話本体の振動検知による方法とすることで、ユーザの意図しない応答を回避することができる。
【００７９】
また、キー操作を行うために操作部２０８のボタンを押す動作と、タッチパネル２１４を介した応答専用ボタン押下及び携帯電話本体を振る動作は異なる動作であるため、ユーザは、着信前に行っていたキー操作も継続実施することができ、応答したい場合には携帯電話本体を振る動作などにより意図して応答することができる。タイマ２０１で設定した時間内にキー押下が行われなかった場合は、エニーキーアンサーによる応答手段を用いるため、ユーザは任意のキーで着信応答することができる。
【００８０】
また、着信してから一定時間以内にキー押下がされた場合には、着信応答手段を、携帯電話本体の振動検知による方式に設定する、としたが、これを、着信してから一定時間以内にキー押下がされた場合は、着信応答手段を、携帯電話本体の振動検知による方式に設定してキー操作を続けるか、または、着信に即座に応答するかをユーザが選択できるようにしてもよい。この場合、制御部２０２は、例えば表示部２０４に選択入力画面を表示し、以てユーザに、振動検知による応答又は振動検知によらない応答のいずれを選択するかを問い合わせる。ユーザが後者による応答を選択した場合、制御部２０２は、振動検知による応答手段に設定するステップを省略して応答する。
【００８１】
実施の形態３
上述した実施の形態１及び実施の形態２では、着信してから一定時間以内にキー押下があった場合は、着信応答手段を携帯電話本体の振動検知による方式に設定した。これに対し、本実施の形態においては、着信してから一定時間以内にキー押下があった場合は、キー押下時点からエニーキーアンサーによる応答を無効とする時間（キー操作を続けたい時間）をユーザが任意に設定できるようにしている。エニーアンサーによる応答を無効とする時間（以下、エニーキーアンサー無効時間と呼称する）の設定は、タイマ２０１の作動中に操作部２０８のキー操作が行われた場合に、制御部２０２が、加速度センサ２０３や、操作部２０８や、タッチパネル２１４からの入力を受け付け、当該入力に基づき、タイマ２０１の計測時間を再設定（延長）することにより行う。
【００８２】
図１０は、本実施の形態における携帯電話機の応答処理例を示すフローチャート図である。以降の説明においては、実施の形態１及び実施の形態２と同様の動作についてはその説明を省略し、主に変更／追加した動作について説明する。
【００８３】
着信通知があり（ステップＳ８０１）、タイマ２０１の作動中にキー押下がされた場合（ステップＳ８０４でＹＥＳ）、制御部２０２は、ユーザからの無効時間延長の要求を示す所定の操作を検知し、エニーキーアンサー無効時間を延長する（ステップＳ８０５）。無効時間延長の要求は、加速度センサ２０３を用いた振動検知（例えば、１回振ると１０秒設定）や、タッチパネル２１４の専用ボタンによる押下（例えば、１０秒設定のボタン押下）など、継続したいキー操作とは別の操作で行えるものとする。
【００８４】
そして、制御部２０２は、タイマ２０１に設定したエニーキーアンサー無効時間が経過したか否かを確認する（ステップＳ８０６）。
ここで、制御部２０２は、エニーアンサー無効時間が経過していれば（ステップＳ８０６でＹＥＳ）、エニーアンサーによる応答方法に設定する（ステップＳ８０８）。
【００８５】
一方、エニーキーアンサー無効時間が経過していない場合には（ステップＳ８０６でＮＯ）、制御部２０２は、ユーザからの無効時間延長の再要求の有無を定期的に確認する（ステップＳ８０７）。
【００８６】
無効時間延長が再要求された場合には（ステップ８０７でＹＥＳ）、制御部２０２は、上記ステップＳ８０５に戻り、エニーキーアンサー無効時間をさらに延長する。
【００８７】
これにより、ユーザは、意図しない着信応答を回避でき、且つ、着信の以前に行っていたキー操作も継続して行うことができることに加えて、自身の意図したタイミングで着信に応答することができる。
【００８８】
なお、図６や図９に示した応答処理においても、上記ステップＳ８０５乃至Ｓ８０７と同様の処理を追加することにより、エニーキーアンサー無効時間の延長を行うことができる。
【００８９】
なお、図４、図６、図９、及び図１０に示した応答方法は、マイクロプロセッサ等のコンピュータに１又は複数のプログラムを実行させることによって実現してもよい。このプログラムは、様々な種類の記憶媒体に格納することが可能であり、また、通信媒体を介して伝達されることが可能である。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。
【００９０】
なお、ここでは特定の具体例を示して本発明を説明したが、特許請求の範囲に定義された本発明の広範囲な趣旨および範囲から逸脱することなく、これら具体例に様々な修正および変更が可能である。
【符号の説明】
【００９１】
２０１    タイマ
２０２    制御部
２０３    加速度センサ
２０４    表示部
２０５    アンテナ
２０６    無線部
２０７    メモリ部
２０８    操作部
２０９    ＬＥＤ
２１０    バイブレータ
２１１    音声コーデック部
２１２    スピーカ
２１３    マイク
２１４    タッチパネル
【図１】
2010161757.tif 000003
【図２】
2010161757.tif 000004
【図３】
2010161757.tif 000005
【図４】
2010161757.tif 000006
【図５】
2010161757.tif 000007
【図６】
2010161757.tif 000008
【図７】
2010161757.tif 000009
【図８】
2010161757.tif 000010
【図９】
2010161757.tif 000011
【図１０】
2010161757.tif 000012